(57)【要約】【課題】冷陰極蛍光放電管点灯装置に接続するバラスト素子の数を低減する。【解決手段】  互いに接続された一対(i)の放電管(3)の各第１の端子(3a)とインバータ(1)の第１の出力端子(1a)との間に接続された第１のバラスト素子(21,31)と、一対(i)の一方の放電管(3)の第２の端子(3b)とインバータ(1)の第２の出力端子(1b)との間に接続された第２のバラスト素子(22,32)と、一対(i)の他方の放電管(3)の第２の端子(3b)とインバータ(1)の第２の出力端子(1b)との間に接続された第３のバラスト素子(23,33)とを冷陰極蛍光放電管点灯装置に設ける。この回路構成では、放電管(3)の輝度のばらつきを改善しつつ、第２及び第３のバラスト素子(22,23)が個別に動作するので、放電管(3)の数の２倍数のバラスト素子を設ける必要がなく、未点灯の放電管(3)に十分なレベルの起動電圧を印加することができる。【選択図】図１
2008305650.tif 000002
【特許請求の範囲】
【請求項１】
第１の端子と第２の端子をそれぞれ有する少なくとも一対の放電管と、
直流電源からの直流電圧を交流電圧に変換して、前記放電管の各第１の端子と各第２の端子に交流電圧を印加する第１の出力端子と第２の出力端子とを有するインバータと、
互いに接続された一対の前記放電管の各第１の端子と、前記インバータの第１の出力端子との間に接続された第１のバラスト素子と、
一対の一方の前記放電管の第２の端子と前記インバータの第２の出力端子との間に接続された第２のバラスト素子と、
一対の他方の前記放電管の第２の端子と前記インバータの第２の出力端子との間に接続された第３のバラスト素子とを備えることを特徴とする冷陰極蛍光放電管点灯装置。
【請求項２】
一対又は複数対の前記放電管に加えられた単一の放電管と、
単一の該放電管の第１の端子と前記インバータの第１の出力端子との間及び単一の前記放電管の第２の端子と前記インバータの第２の出力端子との間のそれぞれに接続された一対のバラスト素子とを備えた請求項１に記載の冷陰極蛍光放電管点灯装置。
【請求項３】
前記第１のバラスト素子、第２のバラスト素子、第３のバラスト素子及び一対のバラスト素子は、各バラスト素子を通過する電流により電気エネルギを蓄積し且つ該電流に対するインピーダンスとなる請求項２に記載の冷陰極蛍光放電管点灯装置。
【請求項４】
前記第１のバラスト素子、第２のバラスト素子、第３のバラスト素子及び一対のバラスト素子は、コンデンサ、インダクタから選択された１種又は複数種である請求項２又は３に記載の冷陰極蛍光放電管点灯装置。
【請求項５】
前記インダクタは、単一の巻線又は複数の巻線を有し、該複数の巻線を有するインダクタは、前記各巻線が発生する磁束が互いに結合する相互インダクタンスを有する請求項４に記載の冷陰極蛍光放電管点灯装置。
【発明の詳細な説明】
【技術分野】
【０００１】
本発明は、少ない数のバラスト素子を備える冷陰極蛍光放電管点灯装置に関する。
【背景技術】
【０００２】
冷陰極蛍光放電管（ＣＣＦＬ;Cold Cathode Fluorescent Lamp）は、インバータ(1)により発生する通常数十キロヘルツの周波数を有する数百ボルト乃至千数百ボルトの交流電圧を印加して点灯する冷陰極管とも呼称される蛍光管である。図８に示す従来の冷陰極蛍光放電管点灯装置は、直流電源(2)に接続され且つ放電管(3)に交流電力を供給するインバータ(1)を有する。インバータ(1)は、直流電源(2)に接続された交流電力発生回路(4)と、交流電力発生回路(4)からの出力電圧を変換した交流電力を放電管(3)に供給する電圧変換回路(5)とを備える。交流電力発生回路(4)は、直流電源(2)に直列に接続された第１のスイッチング素子としての第１のＭＯＳ-ＦＥＴ(6)及び第２のスイッチング素子としての第２のＭＯＳ-ＦＥＴ(7)と、第１のＭＯＳ-ＦＥＴ(6)及び第２のＭＯＳ-ＦＥＴ(7)の接続点に一端が接続されたコンデンサ(8)とを備える。電圧変換回路(5)は、トランス(9)に設けられ且つ第２のＭＯＳ-ＦＥＴ(7)と並列にコンデンサ(8)の他端と直流電源(2)との間に接続された１次巻線(9a)と、放電管(3)に並列に接続された２次巻線(9b)とを備える。トランス(9)は、１次巻線(9a)と２次巻線(9b)との間に漏洩インダクタンスを有する。
【０００３】
動作時に、第１のＭＯＳ-ＦＥＴ(6)と第２のＭＯＳ-ＦＥＴ(7)は、交互にオン・オフ制御され、第２のＭＯＳ-ＦＥＴ(7)がオフ状態で、第１のＭＯＳ-ＦＥＴ(6)がオンすると、直流電源(2)から第１のＭＯＳ-ＦＥＴ(6)、コンデンサ(8)及び１次巻線(9a)を通り直流電源(2)に電流が流れ、コンデンサ(8)が充電されると共に、２次巻線(9b)から放電管(3)を通り一方向に点灯電流が流れる。逆に、第１のＭＯＳ-ＦＥＴ(6)がオフ状態で、第２のＭＯＳ-ＦＥＴ(7)がオンすると、コンデンサ(8)に蓄積されたエネルギが放出され、コンデンサ(8)から第２のＭＯＳ-ＦＥＴ(7)及び１次巻線(9a)を通りコンデンサ(8)に電流が流れる。従って、２次巻線(9b)から放電管(3)を通り逆方向に点灯電流が流れるので、放電管(3)は、インバータ(1)からの周波数変換された所望の電圧値に変換される交流電力により点灯される。図９は、放電管(3)の管電流を安定化させる電流制限素子、即ちバラスト素子としてのバラストコンデンサ(10)を放電管(3)に直列に接続して、バラストコンデンサ(10)による正抵抗特性の合成インピーダンスと負性抵抗特性を持つ放電管(3)とを組み合わせた回路を示す。
【０００４】
近年では、液晶表示パネル（ＬＣＤ）の大型化に伴って、放電管(3)の長尺化及び多灯化が急速に進んだため、インバータ(1)の出力電圧の高圧化と、単一のインバータ(1)で複数の放電管(3)を同時に点灯させる多灯点灯回路が必要となる。多灯点灯回路として、インバータ(1)の第１の出力端子(1a)と第２の出力端子(1b)とに２本の放電管(13,14)を互いに並列に接続した冷陰極蛍光放電管点灯装置を図１０に示し、各放電管(13,14)の管電流−管電圧特性を図１１に示す。図１１に示すように、実効電圧１３００ボルトを一定時間印加すると、各放電管(13,14)は、放電を開始し、実効電流５ミリアンペアの電流を維持するには、実効電圧１０００ボルトの電圧を継続的に印加する必要がある。また、実効電流８ミリアンペアの電流を維持するには、実効電圧９００ボルトの電圧を継続的に印加する必要がある。このように、各放電管(13,14)は、点灯後に、電流値が増加するに従って電圧値が低下する負性抵抗特性を生ずる。また、実効電圧１３００ボルトを印加してから点灯を開始するまでの時間は、各放電管(13,14)の個体差、周囲温度等の種々の要因で変動するため、２本の放電管(13,14)は同時に点灯を開始せず、何れかが先に点灯する。例えば、並列接続された第１及び第２の放電管(13,14)とバラストコンデンサ(10)との直列回路をインバータ(1)の第１の出力端子(1a)及び第２の出力端子(1a)に接続する図１０の冷陰極蛍光放電管点灯装置では、第１の放電管(13)及び第２の放電管(14)に同時に実効電圧１３００ボルトの交流電圧を印加し、第２の放電管(14)が未点灯の状態から偶然に第１の放電管(13)が先に点灯すると、負性抵抗特性を持つ第１の放電管(13)には例えば７ミリアンペアの電流が流れ、実効電圧は９４０ボルトに低下する。点灯する放電管(13)に並列に接続される未点灯の放電管(14)のインピーダンスは無限大であり、開離状態にある。従って、未点灯の放電管(14)の両端に印加される実効電圧も９４０ボルトに低下するため、点灯に必要な実効電圧１３００ボルトの交流電圧が未点灯の放電管(14)に印加されずに非点灯状態が維持される。
【０００５】
従って、多点灯式冷陰極蛍光放電管点灯装置では、図１２に示すように、２本の放電管(13,14)の各々にバラストコンデンサ(10)を接続する必要がある。この場合、バラストコンデンサ(10)により点灯した放電管(13)に印加される電圧が低下しても、インバータ(1)の出力電圧がそのまま未点灯の放電管(14)に印加されるので、点灯開始に必要十分な電圧を得ることができる。図１２と略類似の構成を有する放電灯点灯装置は、例えば下記の特許文献１に記載されている。
【０００６】
【特許文献１】特開２００１−２４４０９４公報
【０００７】
全長の長い放電管(3)ほど、より高い交流電圧をインバータ(1)で発生させて点灯する必要があるため、インバータ(1)の各部品に印加される電圧も増加する。第１の２次巻線(9b)と第２の２次巻線(9c)との中点を筐体（シャーシ）又は負側電源等のグランドに接続して、インバータ(1)の出力を２分割することにより２次巻線(9b,9c)に印加される電圧の負担を軽減する回路構成を図１３に示す。図１３に示すように、ライン(11)を介してインバータ(1)のトランス(9)の第１の２次巻線(9b)と第２の２次巻線(9c)との接続部であるセンタタップをグランドに接続し、トランス(9)の第１の２次巻線(9b)と第２の２次巻線(9c)とが逆位相で接続される。センタタップ構造とする代わりに、複数のインバータ(1)を用いて互いに逆位相の出力を発生しても良い。
【０００８】
図１４に示すように、一般的に放電管(3)と、放電管(3)を実装する金属製の筐体(12)との間に生成される寄生容量(16)（点線部）を通してリーク電流(17)が流れる。図１３に示す単一のバラストコンデンサ(10)を放電管(3)に直列に接続すると、バラストコンデンサ(10)に発生する電圧降下により、バラストコンデンサ(10)を挿入する側の放電管(3)の端子電圧が低下するため、放電管(3)の各端子に印加する電圧が相異し、放電管(3)の両側で放電管(3)から筐体(12)に非対称のリーク電流(17)が流れる。図１３の回路に発生するリーク電流(17)は、図１４に示すように寄生容量(16)を通じて流れ、矢印の長さでリーク電流(17)の大きさを示す。グランド（ＧＮＤ）電位にある無矢印で示す寄生容量(16)には、リーク電流(17)は流れない。放電管(3)の長さ方向に沿う不均一な量のリーク電流(17)により、放電管(3)の両側で輝度が異なり、全長の長い放電管(3)ほど、印加電圧が高くなるので、輝度の差異が顕著である。従って、図１５及び図１６に示すように、放電管(3)の両端にそれぞれバラストコンデンサ(10)を接続すると、放電管(3)の両端子に同一レベルの電圧が印加される。この場合、放電管(3)の作動時に、放電管(3)の中心付近がグランド電位となるので、図１６に示すように、放電管(3)の両端でのリーク電流(17)の量と輝度とが略同一になる。図１７は、放電管(3)の長尺化と多灯化に対応する従来の多点灯式冷陰極蛍光放電管点灯装置を示し、インバータ(1)の第１の出力端子(1a)及び第２の出力端子(1b)に並列に接続される第１及び第２の放電管(13,14)の両端子にそれぞれバラストコンデンサ(10)を直列に接続する。
【発明の開示】
【発明が解決しようとする課題】
【０００９】
このように、高出力電圧の単一のインバータ(1)で複数の放電管(13,14)を同時に点灯する従来の多点灯式冷陰極蛍光放電管点灯装置では、図１７に示す通り、複数の放電管(13,14)の本数の２倍数のバラストコンデンサ(10)が必要であった。図１８は、図１７に示すバラストコンデンサ(10)の代わりに、バラストコイル(30)を直列に接続する例を示す。図１８に示す回路でも、バラストコイル(30)により、点灯した放電管(13)に印加される電圧が低下しても、インバータ(1)の出力電圧がそのまま未点灯の放電管(14)に印加されるので、点灯開始に必要十分な電圧が得られる。この場合も、複数の放電管(13,14)の本数の２倍数のバラストコイル(30)が必要であった。
【００１０】
そこで、本発明は、バラスト素子の数を低減できる冷陰極蛍光放電管点灯装置を提供することを目的とする。
【課題を解決するための手段】
【００１１】
本発明の冷陰極蛍光放電管点灯装置は、第１の端子(3a)と第２の端子(3b)をそれぞれ有する少なくとも一対(i)の放電管(3)と、直流電源(2)からの直流電圧を交流電圧に変換して、放電管(3)の各第１の端子(3a)と各第２の端子(3b)に交流電圧を印加する第１の出力端子(1a)と第２の出力端子(1b)とを有するインバータ(1)と、互いに接続された一対(i)の放電管(3)の各第１の端子(3a)とインバータ(1)の第１の出力端子(1a)との間に接続された第１のバラスト素子(21,31)と、一対(i)の一方の放電管(3)の第２の端子(3b)とインバータ(1)の第２の出力端子(1b)との間に接続された第２のバラスト素子(22,32)と、一対(i)の他方の放電管(3)の第２の端子(3b)とインバータ(1)の第２の出力端子(1b)との間に接続された第３のバラスト素子(23,33)とを備える。この回路構成により、第２及び第３のバラスト素子(22,23)が個別に動作するので、複数の放電管(3)の本数の２倍数のバラスト素子を設ける必要がなく、未点灯の放電管(3)に十分なレベルの起動電圧を印加することができる。
【発明の効果】
【００１２】
冷陰極蛍光放電管点灯装置の性能を低下させずに、バラスト素子の数を減少でき、冷陰極蛍光放電管点灯装置を小型且つ軽量化することができ、製造価格も低減することができる。
【発明を実施するための最良の形態】
【００１３】
以下、本発明による冷陰極蛍光放電管点灯装置の実施の形態を図１〜図７について説明する。但し、図１〜図７では、図８〜図１８に示す箇所と同一の部分には同一の符号を付し、その説明を省略する。
【００１４】
図１に示す本発明の冷陰極蛍光放電管点灯装置の第１の実施の形態は、一対(i)の放電管(3)の各第１の端子(3a)とインバータ(1)の第１の出力端子(1a)との間に接続された第１のバラスト素子としての第１のバラストコンデンサ(21)と、一方の放電管(3)の第２の端子(3b)とインバータ(1)の第２の出力端子(1b)との間に接続された第２のバラスト素子としての第２のバラストコンデンサ(22)と、他方の放電管(3)の第２の端子(3b)とインバータ(1)の第２の出力端子(1b)との間に接続された第３のバラスト素子としての第３のバラストコンデンサ(23)とを備える。図１に示す回路で一対の放電管(3)が何れも点灯したときに、例えば、下記の電流が流れ、下記の電圧が印加される。
第１の２次巻線(9b)に印加される実効電圧：９５０ボルト
第２の２次巻線(9c)に印加される実効電圧：９５０ボルト
第１のバラストコンデンサ(21)の静電容量：４０ピコファラド
第１のバラストコンデンサ(21)に印加される実効電圧：８０７ボルト
各放電管(3)に流れる実効電流：５ミリアンペア
各放電管(3)に印加される実効電圧：１０００ボルト
第２及び第３の各バラストコンデンサ(22,23)の静電容量：２０ピコファラド
第２及び第３の各バラストコンデンサ(22,23)に印加される実効電圧：８０７ボルト
【００１５】
これに対し、一対の放電管(3)の一方のみが点灯し、他方が未点灯状態のときに、下記の電流が流れ、下記の電圧が印加される。
第１の２次巻線(9b)に印加される実効電圧：９５０ボルト
第２の２次巻線(9c)に印加される実効電圧：９５０ボルト
第１のバラストコンデンサ(21)の静電容量：４０ピコファラド
第１のバラストコンデンサ(21)に印加される実効電圧：５８５ボルト
点灯した放電管(3)に流れる実効電流：７ミリアンペア
点灯した放電管(3)に印加される実効電圧：９４０ボルト
未点灯の放電管(3)に流れる実効電流：０ミリアンペア
未点灯の放電管(3)に印加される実効電圧：１５１０ボルト
第２及び第３の各バラストコンデンサ(22,23)の静電容量：２０ピコファラド
第２及び第３の各バラストコンデンサ(22,23)のうち、点灯した放電管(3)に直列に接続されたバラストコンデンサに印加される実効電圧：８０７ボルト
第２及び第３の各バラストコンデンサ(22,23)に印加される実効電圧：８０７ボルト
第２及び第３の各バラストコンデンサ(22,23)のうち、未点灯の放電管(3)に直列に接続されたバラストコンデンサに印加される実効電圧：０ボルト
【００１６】
従って、未点灯の放電管(3)に対する実効電圧が低下する従来の回路とは異なり、図１に示す本発明の回路では、実効電圧：１５１０ボルトが印加される未点灯の放電管(3)は、その後点灯するであろう。このように、図１の回路では、第２及び第３のバラストコンデンサ(22,23)が個別に動作するので、放電管(3)の本数に対してバラストコンデンサ(21〜23)の数を減少できる上、未点灯の放電管(3)に十分なレベルの起動電圧を印加することができる。更に、放電管(3)の中心付近がグランド電位になるので、放電管(3)の両端での輝度も均一となる。
【００１７】
図２は、インバータ(1)の第１の出力端子(1a)と第２の出力端子(1b)との間に３対(i〜iii)の放電管(3)を接続した本発明の第２の実施の形態を示す。各対(i〜iii)の放電管(3)の各対(i〜iii)の各第１の端子(3a)は、第１のバラストコンデンサ(21)を介してインバータ(1)の第１の出力端子(1a)に接続される。第１のバラストコンデンサ(21)の静電容量は、例えば４０ピコファラドである。また、各放電管(3)の各第２の端子(3b)は、第２及び第３のバラストコンデンサ(22,23)を介して個別にインバータ(1)の第２の出力端子(1b)に接続される。第２及び第３のバラストコンデンサ(22,23)の静電容量は、例えば個別に２０ピコファラドである。図２の回路でも、第２及び第３のバラストコンデンサ(22,23)が個別に動作するため、放電管(3)の本数に対してバラストコンデンサ(21〜23)の数を減少できる上、未点灯の放電管(3)に十分なレベルの起動電圧を印加することができるので、図１に示す回路と同一の作用効果が得られる。
【００１８】
図３は、３本で一対の放電管(3)の各第１の端子(3a)を第１のバラストコンデンサ(21)を介してインバータ(1)の第１の出力端子(1a)に接続すると同時に、放電管(3)の各第２の端子(3b)をそれぞれ第２、第３及び第４のバラストコンデンサ(22,23,24)を介してインバータ(1)の第２の出力端子に接続する本発明の冷陰極蛍光放電管点灯装置の第３の実施の形態を示す。図３の例では、比較的大きな静電容量を有する第１のバラストコンデンサ(21)を使用する必要があるが、第２、第３及び第４のバラストコンデンサ(22,23,24)が個別に動作するので、放電管(3)の数に対してバラストコンデンサ(21〜24)の数を減少できる上、未点灯の放電管(3)に十分なレベルの起動電圧を印加することができる。
【００１９】
図４は、図２に示す３対(i〜iii)の放電管(3)に単一の放電管(3)と、その放電管(3)の第１の端子(3a)とインバータ(1)の第１の出力端子(1a)との間及び第２の端子(3b)とインバータ(1)の第２の出力端子(1b)との間にそれぞれ一対のバラストコンデンサ(10)を接続する奇数本の放電管(3)を使用する第４の実施の形態を示す。
【００２０】
図５は、図１に示す第１の実施の形態において、第１のバラストコンデンサ(21)を第１のバラストコイル(31)に置き換えると共に、第２のバラストコンデンサ(22)及び第３のバラストコンデンサ(23)をそれぞれ第２のバラストコイル(32)及び第３のバラストコイル(33)に置き換えて、第２のバラストコイル(32)と第３のバラストコイル(33)とを電磁的に連結して、コモンモードチョークコイル(34)を構成する本発明の第５の実施の形態を示す。図５では、第２のバラストコイル(32)と第３のバラストコイル(33)が個別に動作するので、放電管(3)の数に対してバラストコイル(31〜33)の数を減少できる上、未点灯の放電管(3)に十分なレベルの起動電圧を印加することができる。図５に示す例では、例えば、第１のバラストコイル(31)のインダクタンスは、０.５ヘンリー、第２及び第３のバラストコイル(32,33)のインダクタンスは、同一の１ヘンリーである。
【００２１】
図６は、図２に示す第２の実施の形態において、第１、第２及び第３のバラストコンデンサ(21,22,23)を各々第１、第２及び第３のバラストコイル(31,32,33)に置き換えた第６の実施の形態を示し、図２と同様の作用効果を得ることができる。第１のバラストコイル(31)のインダクタンスは、０.５ヘンリー、第２及び第３のバラストコイル(32,33)のインダクタンスは、同一の１ヘンリーである。
【００２２】
図７は、図４に示す第４の実施の形態において、第１、第２及び第３のバラストコンデンサ(21,22,23)を各々第１、第２及び第３のバラストコイル(31,32,33)に置き換え、３対(i〜iii)の放電管(3)に付加される単一の放電管(3)の第１の端子(3a)とインバータ(1)の第１の出力端子(1a)との間及び第２の端子(3b)とインバータ(1)の第２の出力端子(1b)との間にそれぞれ接続される一対のバラストコンデンサ(10)を一対のバラストコイル(30)に置き換えた第７の実施の形態を示す。第７の実施の形態では、例えば、図６に示す第１、第２及び第３のバラストコイル(31,32,33)と各々同一のインダクタンス値を使用し、バラストコイル(30)のインダクタンス値に１ヘンリーを使用することができる。何れにしても、第１のバラストコンデンサ(21)、第２のバラストコンデンサ(22)、第３のバラストコンデンサ(33)、バラストコンデンサ(10)、第１のバラストコイル(31)、第２のバラストコイル(32)、第３のバラストコイル(33)及びバラストコイル(30)は、各バラスト素子を通過する電流により電気エネルギを蓄積し且つ前記の電流に対するインピーダンスとなる。第１のバラスト素子(21,31)、第２のバラスト素子(22,32)、第３のバラスト素子(23,33)及びバラスト素子(10,30)は、コンデンサ、コイル及びチョークコイル等のインダクタから選択された１種又は複数種である。コイル及びチョークコイル等のインダクタは、単一の巻線又は複数の巻線を有し、複数の巻線を有するコイル及びチョークコイル等のインダクタは、各巻線が発生する磁束が互いに結合する相互インダクタンスを有する。
【００２３】
本発明の前記各実施の形態は、更に種々の変更が可能である。例えば、図２、図４、図６及び図７では３対(i〜iii)の放電管(3)を示したが、４対以上で必要なｎ対の放電管(3)を設けることができる。また、図３に示す第１〜第４のバラストコンデンサ(21〜24)を第１〜第４のバラストコイルに置換してもよい。また、放電管(3)の点灯開始電圧、トランス(9)の出力電圧、各バラストコンデンサ(21〜23,10)又は各バラストコイル(31〜33,30)の定数を適宜選択すれば、未点灯の放電管(3)が点灯するまでの未点灯時間を短縮し又は略零とすることができる。更に、上記の各実施の形態では、ハーフブリッジ型の回路構成を有する交流電力発生回路(4)を使用したが、フルブリッジ型、プッシュプル型等の他の回路構成を有する交流電力発生回路(4)を使用してもよい。
【産業上の利用可能性】
【００２４】
本発明は、バラスト素子を備える冷陰極蛍光放電管点灯装置に有効に適用することができる。
【図面の簡単な説明】
【００２５】
【図１】本発明の冷陰極蛍光放電管点灯装置の第１の実施の形態を示す電気回路図
【図２】本発明の冷陰極蛍光放電管点灯装置の第２の実施の形態を示す電気回路図
【図３】本発明の冷陰極蛍光放電管点灯装置の第３の実施の形態を示す電気回路図
【図４】本発明の冷陰極蛍光放電管点灯装置の第４の実施の形態を示す電気回路図
【図５】本発明の冷陰極蛍光放電管点灯装置の第５の実施の形態を示す電気回路図
【図６】本発明の冷陰極蛍光放電管点灯装置の第６の実施の形態を示す電気回路図
【図７】本発明の冷陰極蛍光放電管点灯装置の第７の実施の形態を示す電気回路図
【図８】従来の冷陰極蛍光放電管点灯装置を示す基本電気回路図
【図９】図８の基本電気回路の放電管にバラストコンデンサを直列に接続した電気回路図
【図１０】２本の放電管にバラストコンデンサを直列に接続した電気回路図
【図１１】放電管の管電流と管電圧との関係を示すグラフ
【図１２】２本の放電管のそれぞれにバラストコンデンサを接続した電気回路図
【図１３】トランスの他の例を示す従来の冷陰極蛍光放電管点灯装置を示す電気回路図
【図１４】放電管と筺体との間に形成される寄生容量及び不均衡なリーク電流を示す概略図
【図１５】図１３の電気回路の放電管の両端に一対のバラストコンデンサを直列に接続した電気回路図
【図１６】放電管と筺体との間に形成される寄生容量及び放電管の長さ方向に対称のリーク電流を示す概略図
【図１７】２本の放電管の各々の両端にバラストコンデンサを直列に接続した電気回路図
【図１８】図１７のバラストコンデンサをバラストコイルに置換した電気回路図
【符号の説明】
【００２６】
(1)・・インバータ、  (1a)・・第１の出力端子、  (1b)・・第２の出力端子、  (2)・・直流電源、  (3)・・放電管、  (3a)・・第１の端子、  (3b)・・第２の端子、  (10)・・バラストコンデンサ（バラスト素子）、  (21)・・第１のバラストコンデンサ、  (22)・・第２のバラストコンデンサ、  (23)・・第３のバラストコンデンサ、  (30)・・バラストコイル（バラスト素子）、  (31)・・第１のバラストコイル、  (32)・・第２のバラストコイル、  (33)・・第３のバラストコイル、
【図１】
2008305650.tif 000003
【図２】
2008305650.tif 000004
【図３】
2008305650.tif 000005
【図４】
2008305650.tif 000006
【図５】
2008305650.tif 000007
【図６】
2008305650.tif 000008
【図７】
2008305650.tif 000009
【図８】
2008305650.tif 000010
【図９】
2008305650.tif 000011
【図１０】
2008305650.tif 000012
【図１１】
2008305650.tif 000013
【図１２】
2008305650.tif 000014
【図１３】
2008305650.tif 000015
【図１４】
2008305650.tif 000016
【図１５】
2008305650.tif 000017
【図１６】
2008305650.tif 000018
【図１７】
2008305650.tif 000019
【図１８】
2008305650.tif 000020